(57)【要約】      （修正有）【課題】生体に医療装置により外科的処置を施した際に発生する煙、臭いや粒子を防煙かつ防臭する局所手術用密閉カバーを備える医療装置を提供する。【解決手段】患者の患部を切開、切除、蒸散又は凝固させるための医療装置としてのレーザハンドピース１のレーザプローブ１０のヘッド部１１に密閉カバー２を装着するとともに当該密閉カバー２の吸引口２ｂに接続部材２１を介して吸引装置２０を接続して装備し、前記密閉カバー２には小型カメラ３０を装着することにより構成したことを特徴とする。【選択図】図１
2020089578.tif 000002
【特許請求の範囲】
【請求項１】
患者の患部を切開、切除、蒸散または凝固させるための医療装置であって、前記医療装置は患部を治療するためのプローブと、前記プローブの周囲と治療患部を密閉するように設けた密閉カバーと、前記密閉カバー内で発生する煙、におい、又は粒子を吸引する為の吸引口と、
前記吸引口に接続した吸引装置と吸気口により構成したことを特徴とする局所手術用密閉カバーを備える医療装置。
【請求項２】
前記密閉カバーは、小型カメラが設けられ、治療患部を認識することができるように構成されることを特徴とする請求項１に記載の局所手術用密閉カバーを備える医療装置。
【請求項３】
前記医療装置は、炭酸ガスレーザ装置、半導体レーザ装置、Ｎｄ：ＹＡＧレーザ装置、アレキサンドライトレーザ装置、ルビーレーザ装置または高周波電気メスであることを特徴とする請求項１又は２に記載の局所手術用密閉カバーを備える医療装置。
【請求項４】
前記密閉カバーは、レーザ焦点位置が患部位置になるように採寸された形状により構成されることを特徴とする請求項１乃至３記載の局所手術用密閉カバーを備える医療装置。
【請求項５】
前記密閉カバーは、治療患部を視認できる透過性の素材で構成されることを特徴とする請求項１乃至４に記載の局所手術用密閉カバーを備える医療装置。
【請求項６】
前記密閉カバーは、不透過性の素材で構成されることを特徴とする請求項２に記載の局所手術用密閉カバーを備える医療装置。
【請求項７】
前記密閉カバーは、前記医療装置から照射されるレーザまたはレーザの散乱光を吸収して目を保護する機能を有する素材で構成されることを特徴とする請求項１乃至６に記載の局所手術用密閉カバーを備える医療装置。
【請求項８】
前記密閉カバーは、遮光性がなく目を保護しない機能の素材で構成されることを特徴とする請求項１乃至６に記載の局所手術用密閉カバーを備える医療装置。
【請求項９】
前記密閉カバーは、患者との接触部が可撓性のある可撓性接触部を備えることを特徴とする請求項１乃至８記載の局所手術用密閉カバーを備える医療装置。
【請求項１０】
前記密閉カバーの吸引口又は前記密閉カバーに開口した吸気口にフィルタ部を設けることにより構成したことを特徴とする請求項１乃至９記載の局所手術用密閉カバーを備える医療装置。
【請求項１１】
記密閉カバーには、治療部位を覆ったことを検知する検知手段を設け、
前記検知手段が作動したことを確認して前記吸引装置を作動することができるように構成されることを特徴とする請求項１乃至１０記載の局所手術用密閉カバーを備える医療装置。
【請求項１２】
前記吸引装置および前記小型カメラは、
前記医療装置と一体型又は分離型により構成したことを特徴とする請求項１乃至１１記載の局所手術用密閉カバーを備える医療装置。
【請求項１３】
前記吸引装置は、前記医療装置と連動して動作することを特徴とする請求項１乃至１２記載の局所手術用密閉カバーを備える医療装置。
【請求項１４】
前記密閉カバーは、患者の治療部位を含む周辺領域を３Ｄスキャナによりスキャンしたデータに基づき作成して構成されることを特徴とする請求項１乃至１３に記載の局所手術用密閉カバーを備える医療装置。
【発明の詳細な説明】
【技術分野】
【０００１】
本発明は、生体に医療装置で外科的処置を施した際に発生する煙、臭いや粒子を防煙かつ防臭する局所手術用密閉カバーを備える医療装置に関する。
【背景技術】
【０００２】
従来の医療装置において、ホクロやイボ等除去の施術を行う場合に、皮膚等が蒸散され煙、臭いや粒子が発生する。通常、これらの煙や臭いや粒子を含む気体は治療室内に拡散する為、空調装置や、施術者や患者の傍に設置されたバキューム装置によって排出される。空調装置の能力やバキューム装置の設置位置によって、煙や臭いが長時間に渡って治療室内に滞留してしまうことがあった。煙の臭いも不快なものであり、さらに煙や粒子には体に有害な物質が混ざっており施術者や患者の体に負担である。
また病院のレイアウトによっては、施術者や患者の傍にバキューム装置を設置することが難しく、施術の邪魔になることがあった。
【０００３】
これらの問題点に対応する背景技術の一例としては、歯科治療時に患者の口から飛散する傾向にある血液、唾液、切削粉塵等の飛散物を吸引除去するための歯科用口腔外バキューム装置が提案されている（特許文献１）。
【０００４】
又、その他の例としては、生体に外科的処置を施した際に発生するガスを脱臭して清浄化する手術用局所排気システムである（特許文献２）。
【０００５】
そして当該特許文献２記載の手術用局所排気システムはチューブによって吸引口をガス発生位置に臨ませて近接配置して臭気や粒子を含むガスを吸引し、脱臭フィルタ部によって脱臭し清浄化するものである。
【先行技術文献】
【特許文献】
【０００６】
【特許文献１】特開２０１２−７５７０５号公報
【特許文献２】特開２０１４−２０４９０１号公報
【発明の概要】
【発明が解決しようとする課題】
【０００７】
さて、前記した特許文献１および２においては、それぞれ以下の問題点を有する。
【０００８】
特許文献１に記載の歯科用口腔外バキューム装置は、上下に回動自在なアームの先端面に照明手段を備えており、患者の口元に対する吸引フードの位置によっては、歯科診療時に生じた切削粉塵等を効率的に吸引除去することができない。
【０００９】
又、特許文献２に記載の手術用局所排気システムは、生体に外科的処置を施した際に発生するガスを吸引する吸引口と生体の間に隙間が存在している為、治療室内にガスや臭気が滞留してしまうことを防ぐことができない。
【００１０】
よって、本発明は上記問題点を解消する為に、患者の患部を切開、切除、蒸散または凝固させるための医療装置であって、前記医療装置は患部を治療するためのプローブと、前記プローブの周囲と治療患部を密閉するように設けた密閉カバーと、前記密閉カバー内で発生する煙、におい、又は粒子を吸引する為の吸引口と、前記吸引口と接続する吸引装置と吸気口を設けた構成により、煙や臭いや粒子を効率的に吸引し、さらに必要な場合には施術者や患者は保護メガネを付ける必要性をなくして、施術者や患者への負担を軽減させることのできる医療装置を提供することを目的とする。
【課題を解決するための手段】
【００１１】
本発明は、前述した従来の問題点に鑑みてなされたもので、請求項１は、患者の患部を切開、切除、蒸散または凝固させるための医療装置であって、前記医療装置は患部を治療するためのプローブと、前記プローブの周囲と治療患部を密閉するように設けた密閉カバーと、前記密閉カバー内で発生する煙、におい、又は粒子を吸引する為の吸引口と、前記吸引口に接続した吸引装置と吸気口により構成したことを特徴とする。
【００１２】
請求項２は、請求項１記載の前記密閉カバーは、小型カメラが設けられ、治療患部を認識することができるように構成されることを特徴とする。
【００１３】
請求項３は、請求項１又は２記載の前記医療装置は、炭酸ガスレーザ装置、半導体レーザ装置、Ｎｄ：ＹＡＧレーザ装置、アレキサンドライトレーザ装置、ルビーレーザ装置または高周波電気メスであることを特徴とする。
【００１４】
請求項４は、請求項１乃至３記載の前記密閉カバーは、レーザ焦点位置が患部位置になるように採寸された形状により構成されることを特徴とする。
【００１５】
請求項５は、請求項１乃至４記載の前記密閉カバーは、治療患部を視認できる透過性の素材で構成されることを特徴とする。
【００１６】
請求項６は、請求項２記載の前記密閉カバーは不透過性の素材で構成されることを特徴とする。
【００１７】
請求項７は、請求項１乃至６記載の前記密閉カバーは、前記医療装置から照射されるレーザまたはレーザの散乱光を吸収して目を保護する機能を有する素材で構成されることを特徴とする。
【００１８】
請求項８は、請求項１乃至６記載の前記密閉カバーは、遮光性がなく目を保護しない機能の素材で構成されることを特徴とする。
【００１９】
請求項９は、請求項１乃至８記載の前記密閉カバーは、患者との接触部が可撓性のある可撓性接触部を備えることを特徴とする。
【００２０】
請求項１０は、請求項１乃至９記載の前記密閉カバーの吸引口又は前記密閉カバーに開口した吸気口にフィルタ部を設けることにより構成したことを特徴とする。
【００２１】
請求項１１は、請求項１乃至１０記載の前記密閉カバーには、治療部位を覆ったことを検知する検知手段を設け、前記検知手段が作動したことを確認して前記吸引装置を作動することができるように構成されることを特徴とする。
【００２２】
請求項１２は、請求項１乃至１１記載の前記吸引装置および前記小型カメラは、  前記医療装置と一体型又は分離型により構成したことを特徴とする。
【００２３】
請求項１３は、請求項１乃至１２記載の前記吸引装置は、前記医療装置と連動して動作することを特徴とする。
【００２４】
請求項１４は、請求項１乃至１３記載の前記密閉カバーは、患者の治療部位を含む周辺領域を３Ｄスキャナによりスキャンしたデータに基づき作成して構成されることを特徴とする。
【発明の効果】
【００２５】
本発明によれば、密閉カバーは可撓性を備える柔らかい部材で構成され、生体の治療患部の施術部に高気密に密着せしめることができ、施術時に発生する煙、臭いや粒子を含む気体を外部に漏らすことなく吸引装置によって吸引除去することができる。
【００２６】
又、前記密閉カバーは視認性（透過性）を備える透明部材で構成されることから光を遮ることなく視認性が良好であり、施術部位の確認が容易であるとともに前記治療患部の施術部を認識する小型カメラを備えることにより施術部の位置確認が可能である。
【００２７】
そして、前記小型カメラ以外のセンサー手段を備えることにより、前記吸引装置のＯＮ／ＯＦＦを自動的に遂行することができ、特別な操作を介することなく操作性を向上することができる。
【００２８】
さらに、レーザ治療時には、患者と施術者や近傍にいる人はレーザの散乱光から目を保護するために保護メガネを装着する必要があるが、前記密閉カバーはレーザの散乱光を吸収する吸収性を備える素材にて構成するので、メガネの装着を省略することができる。
【００２９】
よって、前述の作用効果のもとに所要の施術を実施し得る結果、前記操作の簡易性により施術時に看護師が必要なく施術者一人での施術が可能となる。
【図面の簡単な説明】
【００３０】
【図１】本発明の医療装置の狭範囲用密閉カバーを備える構成を示す実施例１の斜視図である。
【図２】本発明の医療装置の広範囲用密閉カバーを備える構成を示す実施例２の斜視図である。
【図３】本発明の医療装置の吸引装置一体型の構成を示す実施例３の構成説明図である。
【図４】本発明の医療装置の吸引装置分離型の構成を示す実施例４の構成説明図である。
【発明を実施するための形態】
【００３１】
以下本発明の医療装置の実施例１〜４を図面とともに説明する。
【実施例１】
【００３２】
図１は本発明の医療装置の実施例１をレーザハンドピース１に適用するとともに密閉カバー２が狭範囲用型の実施形態とした場合について説明するものである。
【００３３】
図１において１は、医療装置としてのレーザハンドピースで、当該レーザハンドピース１のレーザプローブ１０のヘッド部１１には密閉カバー２を装着するとともにレーザプローブ１０には、医療装置本体１２が接続されることにより構成されている。
【００３４】
又、前記密閉カバー２はレーザプローブ１０のヘッド部１１による治療患部の視認を可能とする視認性（透過性）を備えるとともにレーザプローブ１１におけるレーザ光１３およびレーザ光１３の散乱光を吸収可能な光を吸収する効果を備え、かつ治療患部の周囲との密着部に対して気密性を保持することのできる可撓性接触部は、可撓性を備える形成素材にて形成することにより構成する。前記密閉カバーは、光を吸収する効果を備えない素材であっても良く、光を吸収する効果を備える素材と光の吸収効果を備えない素材を組み合せて使用してもよい。前記密閉カバーは、素材そのものに光を吸収する効果があっても良いし、光を吸収する効果のない素材に光を吸収する効果のある塗料を塗布してもよい。
【００３５】
その形成素材の具体例については以下の素材を挙げることができる。
熱可塑性エラストマー、熱硬化性エラストマー、クロロスルホン化ポリエチレンゴム、ブチルゴム、エチレン・プロピレンゴム、エチレン・酢酸ビニルゴム、エピクロルヒドリンゴム、天然ゴム、合成天然ゴム、ブタジエンゴム、スチレン・ブタジエンゴム、ニトリルゴム、クロロブレンゴム、ウレタンゴム等が好適であり、熱可塑性エラストマーとしては、ポリカーボネート、ポリ塩化ビニル、ポリスチレン、スチレン・アクリロニトリル共重合体、スチレン・ブタジエン・アクリロニトリル共重合体、ポリエチレン、エチレン・酢酸ビニル共重合体、ポリプロピレン、ポリアセタール、ポリメチルメタクリレート、ポリメチルメタクリレート、変成アクリル、ポリエチレンテレフタレート、ポリウレタン、テフロン（登録商標）等のフッ素系を挙げることが出来る。
熱硬化性エラストマーとしては、シリコーンゴム、フッ素ゴム、フェノール・ホルムアルデヒド、尿素アルファ−セルロース充填、メラミン・ホルムアルデヒド、エポキシ、フラン、キシレン、不飽和ポリエステル、ジアリルフタレートを挙げることができる。
【００３６】
又、前記密閉カバー２の形状については、治療患部の部位に対応し得る形状が要求されるが、特にレーザハンドピース１においては、ヘッド部１１の焦点位置１４の採寸に対応することのできる構成により形成することが要求される。
【００３７】
すなわち、レーザ光１３の焦点位置１４にて切開、切除、蒸散した時に煙や臭気が発生するもので、密閉カバー２は当該発生部位の周囲を高気密に密閉することのできる形状により構成することが要求され、それは同時に前記したようにレーザ光１３の焦点位置１４の採寸となる。
また、前記密閉カバー２は、患者の治療患部を含む周辺領域を３Ｄスキャナによりスキャンしたデータに基づいて作成してもよい。この場合、患者個人に基づいたフィット性を向上した密閉カバーを提供することが出来る。
患者との接触部は、可撓性のある可撓性接触部により構成される。可撓性接触部は、患者との接触部を滑らかに移動する為に、円筒状の回転物といった駆動部（図示しない）を備えてもよい。前記駆動部は、密閉カバー２に埋め込むように構成され、円筒状の回転物が回転することで、吸引時も患者との接触部を滑らかに移動する。
また、粘性のある液体を治療患部周辺に塗布し、液体の粘性によって、前記密閉カバー２が患者との接触部を滑るように移動してもよい。
【００３８】
尚、前記密閉カバー２は図示の円筒状の形状に限定されず、必要に応じて多角形の筒状体あるいは治療患部の周囲の形態に対して適切に対応し得る形状により実施することができる。
【００３９】
しかして、前記密閉カバー２の吸引口２ｂを開口するとともに吸引口２ｂに接続部材（バキュームホース）２１を介して吸引装置２０を装備し、さらに当該密閉カバー２内には小型カメラ３０を設置することにより構成されている。
【００４０】
又、吸気口４０は密閉カバー２に開口した吸気口で、当該吸気口４０にはメッシュ部材４１を張設するとともに当該吸気口４０にはフィルタ（図示しない）や逆止弁（図示しない）を着脱自在に装着することにより構成する。吸気口４０にフィルタや逆止弁を設けることで、吸引を開始した時に密閉カバー内が真空になることを防ぎ、さらに吸引を終了した時に外部からのゴミや粒子および密閉カバー内で発生した蒸散した物質を外部に漏れることを防止する効果がある。
【００４１】
すなわち、前記着脱自在に装着するフィルタとしては、治療部へのレーザ照射時に発生する煙、臭いや粒子を除去することのできるフィルタを装着することにより実施するものである。
【００４２】
尚、前記フィルタは、一般的な空調用や除塵用として利用される公知の除塵用フィルタや、臭気やガスの除去に適した一般的な吸着フィルタを用いるとよい。例えば、活性炭、ＡＣＦ（繊維状活性炭）、化学吸着剤、イオン交換樹脂、ゼオライト、活性アルミナ等からなるものを用いるとよい。又フィルタには、臭気の除去に適した触媒を担持しておいてもよい。
【００４３】
そして、当該フィルタによる作用効果は、密閉カバー２の吸引口２ｂにフィルタを装着する構成によっても達成することができる。
【００４４】
さて、前記レーザハンドピース１の構成における吸引装置２０の構成の詳細については図示するものではないが、当該技術分野における公知の吸引装置を適用することにより実施することができる（例えば、商品名「ウィスパーリベル２」歯科用吸引装置ポンプ  ＪＭＤＮ：７０７２７００(株）ヨシダ製）。
【００４５】
尚、以下には実施に使用する吸引装置２０の適用例を示す。
【００４６】
吸引装置２０は真空吸引するバキューム用モーターを備えている。動作原理は下記の通り。
吸引装置２０は、操作スイッチが入れられると、モーターが回転を始めモーターはベルトで接続されたブロアーのタービンを回転させる。
【００４７】
タービンの回転により生じる負圧によって歯科用ユニットの吸引装置で吸引を行い吸引した空気は例えば吸引装置用フィルタ（図示しない）により濾過され排気される。
【００４８】
吸引装置用フィルタとしては、粒子の除去に適した一般的な空調用や除塵用として利用される下記に記載した公知のエアフィルタを用いるとよい。
・ＭＥＰＡフィルタ（メパフィルタ英:Medium Efficiency Particulate Air Filter）
中性能フィルタは粒径が５?より小さい粒子に対して中程度の粒子捕集効率をもつエアフィルタ。
・ＨＥＰＡ（ヘパフィルタ、英:High Efficiency Particulate Air Filter）
高性能フィルタ。定格流量で粒径が０．３?の粒子に対して９９．９７％以上の粒子捕集効率を持ち、かつ初期圧力損失が２４５Ｐａ（２５ｍｍＨ２０）以下の性能を持つエアフィルタ。
・ＵＬＰＡ（ウルパフィルタ、英: Ultra Low Penetration Air Filter）
高性能フィルタ。定格流量で粒径が０．１５?の粒子に対して９９．９９９５％以上の粒子捕集効率を持ち、かつ初期圧力損失が２４５Ｐａ（２５ｍｍＨ２０）以下の性能を持つエアフィルタ。
【００４９】
さらに前記レーザハンドピース１の構成における小型カメラ３０の構成については、治療患部の位置または範囲の確認を行うことを特徴とする。すなわち、治療患部が密閉カバー２に覆われることで位置の確認が難しいが、密閉カバー２上部に設けられた小型カメラ３０によって施術部の位置を確認することが出来るので安全に施術することができる。
【００５０】
また、治療患部の位置が確認できれば良く、小型カメラ３０の設置場所は密閉カバー２上部に限定されない。
【００５１】
すなわち煙は上部に溜まるので、密閉カバー２上部に小型カメラ３０を設置すると画像認識し難い可能性がある。例えば、施術の前後や施術の様子なども小型カメラで記録し、カルテ情報に保存することで患者への説明時に活用することが出来る。
【００５２】
さらに小型カメラ３０をセンサーのように使用しても良い。例えば、施術部から煙や気体が発生したことを小型カメラ３０で画像認識し検知することで吸引装置２０と連動して動作し、煙や気体が排気されて消失したことを画像認識し検知すると吸引装置が停止する。
【００５３】
レーザ光１３を自動的に前後左右にスキャニングさせるスキャニング機能付きのレーザ装置であれば、小型カメラ３０で確認した治療患部の位置または範囲に合わせて自動的にスキャニングすることが出来る。
【００５４】
また、前記レーザハンドピース１の構成において医療装置本体１２のＯＮ／ＯＦＦと前記吸引装置２０の電源は連動して動作し、医療装置本体１２の電源を切った数秒後に吸引装置２０の電源も自動的に切れる構成とする実施が好適である。
【００５５】
以上の構成からなるレーザハンドピース１により、治療患部の施術を遂行する場合には、特に本実施例１の場合には狭範囲用の密閉カバー２を装着するものであって、患者の顔等、凹凸の多い部位に使用することが好適である。
【００５６】
そして、密閉カバー２の患部の部位に対する皮膚との密着端面２ａは、可撓性の柔軟な素材で形成されることにより治療部位に密着しやすく、さらに吸引装置２０で減圧することによりぴったりと治療患部の部位周囲に密着させることができる。
【００５７】
よって、治療患部の部位周囲を密閉カバー２により高気密に密閉することができ、レーザ光１３による治療患部を切開、切除、蒸散又は凝固させる等の施術の際に発生する煙、臭い又は粒子等の気体を密閉カバー２により防煙防臭しつつ、当該密閉カバー２に接続した接続部材２１を介して吸引装置２０により吸引除去することができる。
【００５８】
又、前記密閉カバー２は視認性（透過性）を備える透明部材で構成されることから光を遮ることなく視認性が良好であり、施術部位の確認が容易であるとともに前記治療患部の施術部を認識する小型カメラ３０を備えることにより施術部の位置確認が可能である。
【００５９】
さらに、レーザ治療時には、患者と施術者や近傍にいる人はレーザの散乱光から目を保護するために保護メガネを装着する必要があるが、前記密閉カバー２はレーザの散乱光を吸収する吸収性を備える素材にて構成するので、メガネの装着を省略することができる。
【００６０】
よって、前述の作用効果のもとに所要の施術を実施し得る結果、前記操作の簡易性により施術時に看護師が必要なく施術者一人での施術が可能となる。
【００６１】
尚、前記構成における密閉カバー２については、ヘッド部１１に装着した実施形態を説明したが、これを着脱自在な構成を備える（図示しない）ことにより繰り返し使用することができるようにするとともに使い捨てとすることも可能である。
【００６２】
すなわちレーザ装置による切開、切除、蒸散などの施術時には煙や臭い、粒子が発生し、これが密閉カバー２内部に付着することが考えられることから、当該密閉カバー２の成形素材が耐熱、耐滅菌性を有することから、これを掃除しつつ使用することも可能であるが、使い捨てとする実施形態が望ましい。
【００６３】
但し、当該密閉カバー２は、前記したように１３４℃以上の耐熱性を備える素材により形成され、オートクレーブで高温滅菌することが可能であるとともに薬剤耐性を備えるものである。
【実施例２】
【００６４】
図２は、本発明医療装置の実施例２をレーザ装置５０に適用するとともに密閉カバー２が広範囲用型の実施形態とした場合について説明するものである。
【００６５】
そして、図２において図１の実施例１において説明した構成と同一構成は、同一番号を付してその構成説明を省略する。
【００６６】
５０は医療装置としてのレーザ装置を示すとともに５１はそのレーザプローブを示すものである。
【００６７】
前記レーザ装置５０のレーザプローブ５１に装着した密閉カバー２は、図１の実施例１に対して広範囲用型の実施形態からなるもので、図１の狭範囲用型の密閉カバー２が患者の顔等の凹凸の多い部位に使用するのに対して、患者の首から下の凹凸の少ない部位において使用するものである。
【００６８】
そして密閉カバー２の上部２ｃと下部２ｄを２分した構成とし、密着端面２ａを備える下部２ｄについては、上部２ｃの成形素材に対してより柔軟性に富む素材、例えばシリコーンゴム等により形成することにより構成する。
尚、当該密閉カバー２の構成については、前記段落〔００２９〕に記載した構成によって実施することが好適である。
【００６９】
又、密着端面２ａの周方向には所要間隔置きにタッチセンサー６０を設置することにより構成してある。
【００７０】
かかるタッチセンサー６０については、治療患部を覆ったことを検知して吸引装置２０と連動して医療装置１、５０を動作することができるように構成したものである。
【００７１】
従ってそのセンサーとしては、圧力センサー、光センサー、静電容量センサー又は温度センサー等を設置することにより構成する。
【００７２】
尚、この吸引装置２０と連動の動作の構成については、前記タッチセンサー６０による構成に限定されず、医療装置１、５０のレーザ装置の操作部において操作する構成により実施することが可能である。
【００７３】
よって、以上の実施例２の医療装置としてのレーザ装置５０により実施例１のレーザハンドピース１による実施と同様の作用効果を奏しつつ所期の施術を実施することができる。
【実施例３】
【００７４】
図３は医療装置に対して実施例１および２における吸引装置２０を一体型とした実施形態の構成を示すものである。
【００７５】
すなわち、医療装置本体１２に密閉カバー２に装備する吸引装置２０および小型カメラ３０の駆動電源回路部３１を一体に組み込むとともに医療装置１、５０のレーザ発振管７０、空気供給源７１の制御部８０により制御するとともに表示部８１を介して表示することにより実施例１および２において必要な操作を実施することができるように構成したものである。
【実施例４】
【００７６】
図４は、図３の実施例３における一体型の実施形態を分離型とする構成を示すものである。
【００７７】
すなわち、医療装置本体１２とは分離して吸引装置２０および小型カメラ３０の駆動電源回路部３１の制御部９０を別体に設けることにより構成したものである。
【００７８】
以上の実施例１〜４における医療装置については、炭酸ガスレーザ装置、半導体レーザ装置、Ｎｄ：ＹＡＧレーザ装置、アレキサンドライトレーザ装置、ルビーレーザ装置および高周波電気メスにおいて適用することができる。
【００７９】
しかして、これらのレーザ装置の中、整形外科分野として、Ｎｄ：ＹＡＧレーザ装置は皮膚の真皮にある皮膚色素性病変に対し治療可能であり、アレキサンドライトレーザ装置やルビーレーザ装置は皮膚の表皮の色素沈着の除去に有効である。
【００８０】
また、炭酸ガスレーザ装置はイボや色素沈着の除去に有効であり、アレキサンドライトレーザ装置は、アレキサンドライトという鉱物の人工合成石を触媒とする７５５ｍｍの波長を持つレーザ装置である。
【００８１】
また、ルビーレーザ装置は、ルビーの人工合成石を触媒とする６９４ｎｍの波長を持つレーザ装置であり、どちらもメラニン色素を吸収しやすい特徴がある。
【符号の説明】
【００８２】
１    レーザハンドピース
２    密閉カバー
２ａ  密着端面
２ｂ  吸引口
２ｃ  上部
２ｄ  下部
１０  レーザプローブ
１１  ヘッド部
１２  医療装置本体
１３  レーザ光
１４  レーザ光の焦点位置
２０  吸引装置
２１  接続部材（バキュームホース）
３０  小型カメラ
３１  駆動電源回路部
４０  吸気口
４１  メッシュ部材
５０  レーザ装置
５１  レーザプローブ
６０  タッチセンサー
７０  レーザ発振管
７１  空気供給源
８０  制御部
８１  表示部
９０  制御部
【図１】
2020089578.tif 000003
【図２】
2020089578.tif 000004
【図３】
2020089578.tif 000005
【図４】
2020089578.tif 000006